(57)【特許請求の範囲】
【請求項１】
ペットの首を通す環状の襟ぐりと、
該襟ぐりから前記ペットの背側に、裾部が該ペットの後足付け根位置まで達するように延長した背側部分と、
前記襟ぐりから前記ペットの腹側に、裾部が該ペットの後足付け根位置まで達するように延長した腹側部分と、
前記背側部分と腹側部分のそれぞれの側縁を縫い合わせて形成されており、前記ペットの前足を通す一対の袖ぐりと、
を備えた衣類本体部と、
前記腹側部分の裏面の裾部に設けられ、該裾部側が閉じ、前記襟ぐり側が開いており、尿取りパットの一端側を挟む第１のポケットと、
を備えており、
前記腹側部分の裾部が、前記後足付け根位置部分から前記裾部の中央部分にかけて、前記ペットのお尻方向へ延びた湾曲形状であることを特徴とするペット用衣類。
【請求項２】
前記腹側部分の裏面に、前記第１のポケットと所定の距離をおいて配置され、前記第１のポケットと対向する縁部が開き、他の部分が閉じており、前記尿取りパットの他端側を挟む第２のポケットと、
を備えたことを特徴とする請求項１に記載のペット用衣類。
【請求項３】
前記背側部分の幅が、前記腹側部分の幅よりも広く、前記背側部分と腹側部分のそれぞれの側縁の縫い合わせ部分が、腹側位置にあることを特徴とする請求項１又は２に記載のペット用衣類。
【請求項４】
前記衣類本体部分が、伸縮性を有する生地で形成されていることを特徴とする請求項１〜３のいずれか一項に記載のペット用衣類。
【発明の詳細な説明】
【技術分野】
【０００１】
本発明は、ペット用衣類に関し、更に具体的には、尿取りパットを保持するためのペット用衣類に関する。
【背景技術】
【０００２】
現在、市販されているペット用衣類のデザインは、腹側の面が前足方向へ大きくえぐれているものである。例えば、下記特許文献１には、ペットの胴体を覆い、両前足をそれぞれ挿通する孔を有する略筒状の衣服であって、背部生地と腹部生地により構成され、かつ、少なくとも腹部生地が撥水性を有する生地であることにより尿による衣服の汚れや悪臭を防止する衣服を提供するペット用衣服が開示されている。当該特許文献１のペット用衣服は、腹側の面が前足方向へえぐれた形態となっている。
【０００３】
また、下記特許文献２には、動物用の衣服に関しプルオーバー式とするため、６パーツからなる部材を全て縫い合わせることとし、６パーツのうち左肩右肩、腹、ネックリブ、裾リブの５パーツに伸縮性のある生地を使用して伸縮度を増大させ、プルオーバー式で着用することを可能とさせ、着脱性を改善し動物の動きに対応する、着脱性の改善と動物の歩行をさまたげない為に主要パーツに伸縮性のある生地を使用したプルオーバー式の動物用の衣服が開示されている。
【先行技術文献】
【特許文献】
【０００４】
【特許文献１】実用新案登録第３１４４１６６号公報
【特許文献２】実用新案登録第３０８４９６３号公報
【発明の概要】
【発明が解決しようとする課題】
【０００５】
ところで、ペットがオスの場合、マーキング行為がみられることがある。その際のマナーとして、腹部へ帯状のものを巻く、いわゆるマナーバンド（ないしマナーベルト）を装着することが多い。実際、様々なデザインや工夫のあるマナーバンド（マナーベルト）が存在するが、帯状のため、後足付け根箇所を摩擦で痛めてしまうことや、運動により装着位置がずれてしまい、しっかりと尿を採取することが難しいという課題がある。
【０００６】
このような課題を解決するために、洋服と一体型のマナーバンドにすることができれば、ペットの皮膚への摩擦を大幅に軽減でき、ファッション性も高まると考えられるが、上述した特許文献１及び特許文献２のいずれも、尿の採取に適した構造とはなっていない。
【０００７】
本発明は、以上のような点に着目したもので、ペットの皮膚への摩擦を大幅に軽減でき、ファッション性も高く、尿を採取することに適したペット用衣類を提供することを、その目的とする。
【課題を解決するための手段】
【０００８】
本発明のペット用衣類は、ペットの首を通す環状の襟ぐりと、該襟ぐりから前記ペットの背側に、裾部が該ペットの後足付け根位置まで達するように延長した背側部分と、前記襟ぐりから前記ペットの腹側に、裾部が該ペットの後足付け根位置まで達するように延長した腹側部分と、前記背側部分と腹側部分のそれぞれの側縁を縫い合わせて形成されており、前記ペットの前足を通す一対の袖ぐりと、を備えた衣類本体部と、前記腹側部分の裏面の裾部に設けられ、該裾部側が閉じ、前記襟ぐり側が開いており、尿取りパットの一端側を挟む第１のポケットと、を備えており、前記腹側部分の裾部が、前記後足付け根位置部分から前記裾部の中央部分にかけて、前記ペットのお尻方向へ延びた湾曲形状であることを特徴とする。
【０００９】
主要な形態の一つは、前記腹側部分の裏面側に、前記第１のポケットと所定の距離をおいて配置され、前記第１のポケットと対向する縁部が開き、他の部分が閉じており、前記尿取りパットの他端側を挟む第２のポケットと、を備えたことを特徴とする。
【００１０】
他の形態の一つは、前記背側部分の幅が、前記腹側部分の幅よりも広く、前記背側部分と腹側部分のそれぞれの側縁の縫い合わせ部分が、腹側位置にあることを特徴とする。
【００１１】
更に他の形態の一つは、前記衣類本体部が、伸縮性を有する生地で形成されていることを特徴とする。本発明の前記及び他の目的、特徴、利点は、以下の詳細な説明及び添付図面から明瞭になろう。
【発明の効果】
【００１２】
本発明のペット用衣類は、ペットの首を通す環状の襟ぐりと、該襟ぐりから前記ペットの背側に、裾部が該ペットの後足付け根位置まで達するように延長した背側部分と、前記襟ぐりから前記ペットの腹側に、裾部が該ペットの後足付け根位置まで達するように延長した腹側部分と、前記背側部分と腹側部分のそれぞれの側縁を縫い合わせて形成されており、前記ペットの前足を通す一対の袖ぐりと、を備えた衣類本体部と、前記腹側部分の裏面の裾部に設けられ、該裾部側が閉じ、前記襟ぐり側が開いており、尿取りパットの一端側を挟む第１のポケットと、を備えており、前記腹側部分の裾部が、前記後足付け根位置部分から前記裾部の中央部分にかけて、前記ペットのお尻方向へ延びた湾曲形状であることとした。
【００１３】
このため、ペットの皮膚への摩擦を大幅に軽減でき、ファッション性も高く、運動による位置ずれもないため尿をしっかりと採取することができるという効果がある。
【図面の簡単な説明】
【００１４】
【図１】本発明の一実施形態のペット用衣類を犬が装着し、かつ、犬が立った状態を示す側面図である。
【図２】前記実施形態のペット用衣類の裏面を腹側部分側から見た平面図である。
【図３】前記図２のペット用衣類に、尿取りパットを装着した状態を示す平面図である。
【図４】前記実施形態のペット用衣類を装着した犬が、マーキングをする様子を示す図である。
【発明を実施するための形態】
【００１５】
以下、本発明を実施するための最良の形態を、図を参照しながら詳細に説明する。図１は、本発明の一実施形態のペット用衣類を犬が装着し、かつ、犬が立った状態を示す側面図である。図２は、本実施形態のペット用衣類の裏面を腹側部分側から見た平面図である。図３は、前記図２のペット用衣類に、尿取りパットを装着した状態を示す平面図である。図４は、本実施形態のペット用衣類を装着した犬が、マーキングをする様子を示す図である。
【００１６】
本発明のペット用衣類は、マーキング行為に対するマナー用のマナーバンド（ないしマナーベルト）と衣類を一体化したものである。本実施形態では、犬に装着する場合を例に挙げて、以下の説明を行う。
【００１７】
図１〜図３に示すように、本実施例のペット用衣類１０は、犬５０の首を通す環状の襟ぐり１２と、前記襟ぐり１２から犬５０の背側に、裾部１８が犬５０の後足５６、５８の付け根位置まで達するように延長した背側部分１４と、前記襟ぐり１２から犬５０の腹側に、裾部１８が前記犬５０の後足５６、５８の付け根位置まで達するように延長した腹側部分１６と、前記背側部分１４と腹側部分１６のそれぞれの側縁を縫い合わせて形成されており、前記犬５０の前足５２、５４を通す一対の袖ぐり２０、２２とを備えた衣類本体部を備えている。
【００１８】
前記衣類本体部は、前記背側部分１４と腹側部分１６のそれぞれの側縁を、前記犬５０の上半身の側面側で縫い合わせて形成されている。本実施形態では、図２及び図３に示すように、前記背側部分１４と腹側部分１６のそれぞれの側縁が、縫い合わせ部分２４、２６により接合している。これらの図において、背側部分１４の裏面１５と、腹側部分１６の裏面１７が示されており、背側部分１４の幅が、腹側部分１６の幅よりも広く、背側部分１４の側縁を腹側部分１６側へ折って、腹側部分１６側で縫い合わされていることが示されている。また、前記縫い合わせ部分２４、２６により、裾部１８も環状に形成されている。このような衣類本体部は、例えば、全体が伸縮性を有する生地により形成されている。
【００１９】
前記背側部分１４と腹側部分１６をともに、犬５０の後足５６、５８の付け根付近まで延長したことにより、犬５０の性別を問わず、例えば、雨上がり時の歩行中の泥や水の跳ね返りによる汚れを軽減することができる。
【００２０】
本実施形態では、図２及び図３に示すように、前記腹側部分１６の裾部１８が、前記後足５６、５８の付け根位置部分から、前記裾部１８の中央部分にかけて、前記犬５０のお尻方向へ延びた湾曲形状となっている。このような湾曲形状により、犬５０がオスの場合に、陰部を十分にカバーすることができる。また、前記背側部分１４の裾部も、中央部分が犬５０の尾６０付近まで延びるように湾曲した形状となっている。
【００２１】
以上のようなペット用衣類１０の腹側部分１６の裏面１７には、図２及び図３に示すように、尿取りパット４０を装着するための一対のポケット２８、３０が設けられている。一方のポケット２８は、前記裾部１８側に配置されており、該裾部１８側が縫製等により閉じ、前記襟ぐり１２側が開いており、尿取りパット４０の一端側を挟む。
【００２２】
他方のポケット３０は、前記腹側部分１６の裏面１７に、前記一方のポケット２８と所定の距離をおいて配置されている。該ポケット３０は、前記ポケット２８と対向する縁部が開き、他の部分が縫製等により閉じており、前記尿取りパット４０の他端側を挟む。
【００２３】
以上のような構成のペット用衣類１０は、前記ポケット２８、３０に尿取りパット４０を取り付け、犬５０の首を襟ぐり１２に通し、前足５２、５４を、袖ぐり２０、２２に通すことで、衣類本体部を犬５０の身体に装着する。このとき、図１に示すように、背側部分１４及び腹側部分１６ともに、裾部１８が、犬５０の後足５６、５８の付け根付近まで達する。
【００２４】
このようなペット用衣類１０を装着した犬５０を例えば散歩させているときに、図４に示すように電柱７０に向けてマーキングをしようとすると、腹側部分１６の裏面１７に一対のポケット２８、３０によって保持された尿取りパット４０によって尿をしっかりと採取することができる。
【００２５】
通常のマナーバンド（ないしマナーベルト）は、犬５０の胴部に巻き付け、締め付けることで体へ固定し装着する。マナーバンド（マナーベルト）は、帯状のため、後足５６、５８の付け根部分を摩擦で痛めてしまい、また、運動により装着位置がずれてしまい、しっかりと尿を採取することが難しい場合がある。それに対し、本実施形態のペット用衣類１０は、衣類とマナーバンド（マナーベルト）が一体型となっているため、皮膚への摩擦を大幅に軽減できる。また、腹側部分１６の裾部１８が、後足５６、５８の付け根位置まで存在することにより、犬５０の皮膚の保護に役立つ。更に、運動により尿取りパット４０の位置がずれることがないため、しっかりと尿を採取することができる。
【００２６】
＜効果＞・・・このように、本実施形態によれば、次のような効果がある。
(1)ペット用衣類１０は、犬５０の首を通す環状の襟ぐり１２と、前記襟ぐり１２から犬５０の背側に、裾部１８が犬５０の後足５６、５８の付け根位置まで達するように延長した背側部分１４と、前記襟ぐり１２から犬５０の腹側に、裾部１８が前記犬５０の後足５６、５８の付け根位置まで達するように延長した腹側部分１６と、前記背側部分１４と腹側部分１６のそれぞれの側縁を縫い合わせて形成されており、前記犬５０の前足５２、５４を通す一対の袖ぐり２０、２２とを備えた衣類本体部を備えている。そして、ペット用衣類１０の腹側部分１６の裏面１７に、尿取りパット４０を装着するための一対のポケット２８、３０を設けて、尿取りパット４０の両端を挟むこととした。
【００２７】
このように、衣類とマナーバンド（マナーベルト）を一体化したため、胴部のみに巻き付けるマナーバンドやマナーベルトと比べて、犬５０の皮膚への摩擦を大幅に軽減することができるとともに、一体化構造とすることでファッション性も向上する。また、一体化構造とすることで、運動により尿取りパット４０の位置がずれることがなく、しっかりと尿を採取することができる。
【００２８】
更に、背側部分１４及び腹側部分１６を双方ともに、裾部１８が後足５６、５８の付け根付近に達する長さとすることで、犬５０の性別を問わず、例えば、雨上がり時の歩行中の泥や水の跳ね返りによる汚れを軽減できる。
【００２９】
(2)前記腹側部１６の裾部１８が、犬５０の後足５６、５８の付け根位置まで存在することにより、犬５０の皮膚を保護する。
(3)腹側部分１６の裾部１８を、前記後足５６、５８の付け根位置部分から、前記裾部１８の中央部分にかけて、前記犬５０のお尻方向へ延びる湾曲形状としたため、犬５０がオスの場合に、陰部を十分にカバーし、尿取りパット４０による尿の採取をより確実に行うことができる。
【００３０】
(4)本実施形態のペット用衣類１０で確保できる尿量は、尿取りパット４０の吸収量に依存するため、比較的少量である。そのため、散歩に出る前に家で排尿を済ませるなどのトイレトレーニングの推奨・普及の呼びかけ活動にも有効である。
【００３１】
なお、本発明は、上述した実施形態に限定されるものではなく、本発明の要旨を逸脱しない範囲内において種々変更を加え得ることができる。例えば、以下のものも含まれる。
(1)前記実施形態では、ペットとして犬５０を例に挙げて説明したが、他の動物であってもよいし、犬の場合も、大型犬から小型犬まで、公知の各種のペットに本発明は適用可能である。
(2)前記実施形態では、一対のポケット２８、３０を設けることとしたが、これも一例であり、裾部１８側のポケット２８のみを設けるようにしてもよい。
(3)前記実施形態では、犬５０の前足５２、５４を通す袖なしタイプとしたが、これも一例であり、袖を設けることを妨げるものではない。また、長袖タイプ、フード付きタイプ、スカート付きタイプ等、洋服の形状を問わず、本発明のペット用衣類は広く適用可能である。
【００３２】
(4)前記実施形態で示した衣類本体部を形成する生地としては、ある程度の伸縮性を有するものであれば、公知の各種の素材を利用してもよい。むろん、伸縮性がない生地を使用することを妨げるものではない。
(5)前記実施形態で示したポケット２８、３０も、伸縮性のある生地で形成してもよいし、開いた縁部にゴム等を通して、尿取りパット４０をより確実に保持するようにしてもよい。むろん、伸縮性がない生地でポケット２８、３０を形成することを妨げるものではない。
(6)前記実施形態で示した衣類本体部に色彩や模様を設けるようにしてもよい。
【産業上の利用可能性】
【００３３】
本発明によれば、ペットの首を通す環状の襟ぐりと、該襟ぐりから前記ペットの背側に、裾部が該ペットの後足付け根位置まで達するように延長した背側部分と、前記襟ぐりから前記ペットの腹側に、裾部が該ペットの後足付け根位置まで達するように延長した腹側部分と、前記背側部分と腹側部分のそれぞれの側縁を縫い合わせて形成されており、前記ペットの前足を通す一対の袖ぐりと、を備えた衣類本体部と、前記腹側部分の裏面の裾部に設けられ、該裾部側が閉じ、前記襟ぐり側が開いており、尿取りパットの一端側を挟む第１のポケットと、を備えており、前記腹側部分の裾部が、前記後足付け根位置部分から前記裾部の中央部分にかけて、前記ペットのお尻方向へ延びた湾曲形状であることとした。
【００３４】
このため、ペットの皮膚への摩擦を大幅に軽減でき、ファッション性も高く、運動による位置ずれもなく尿をしっかりと採取することができるため、マナーバンド（ないしマナーベルト）と一体型のペット用衣類の用途に適用できる。特に、マーキング行為に対するマナーの向上や、トイレトレーニングの推奨・普及の呼びかけ活動に好適である。
【符号の説明】
【００３５】
１０：ペット用衣類
１２：襟ぐり
１４：背側部分
１５：裏面
１６：腹側部分
１７：裏面
１８：裾部
２０、２２：袖ぐり
２４、２６：縫い合わせ部分
２８、３０：ポケット
４０：尿取りパット
５０：犬
５２、５４：前足
５６、５８：後足
６０：尾
７０：電柱
【要約】
【課題】ペットの皮膚への摩擦を大幅に軽減でき、ファッション性も高く、尿の採取に適したペット用衣類を提供する。
【解決手段】ペット用衣類１０は、ペットの首を通す環状の襟ぐり１２と、襟ぐり１２からペットの背側に、裾部１８が犬５０の後足の付け根位置まで達するように延長した背側部分１４と、襟ぐり１２からペットの腹側に、裾部１８がペットの後足付け根位置まで達するように延長した腹側部分１６と、ペットの前足を通す一対の袖ぐり２０、２２とを備える。腹側部分１６の裏面１７に、尿取りパット４０を装着するための一対のポケット２８、３０を設けて、尿取りパット４０の両端を挟んで取り付ける。また、腹側部分１６の裾部１８を、後足の付け根位置から、裾部１８の中央部分にかけて、ペットのお尻方向へ延びる湾曲形状とし、ペットがオスの場合にも陰部を十分にカバーする。
【選択図】図３【図１】
0006883895.tif 000002
【図２】
0006883895.tif 000003
【図３】
0006883895.tif 000004
【図４】
0006883895.tif 000005